【手続補正書】
【提出日】平成19年8月31日(2007.8.31)
【手続補正１】
【補正対象書類名】明細書
【補正対象項目名】発明の名称
【補正方法】変更
【補正の内容】
【発明の名称】ダイカストマシンのリンクハウジング構造およびナットギヤ摩耗防止方法
【手続補正２】
【補正対象書類名】明細書
【補正対象項目名】特許請求の範囲
【補正方法】変更
【補正の内容】
【特許請求の範囲】
【請求項１】  一側に固定型が取り付けられるとともに水平方向に延びるタイバーが取り付けられた固定ダイプレートと、
前記タイバーに移動可能に支持されるとともに前記固定型に対向する側に可動型が取り付けられた移動ダイプレートと、
該移動ダイプレートの前記固定ダイプレートに対し反対側に設けられ、前記移動ダイプレートにトグル機構を介して連結されるとともに該トグル機構を駆動するシリンダが設けられたリンクハウジングとを有し、
該リンクハウジングには、タイバーに螺合されるナットギヤと、該ナットギヤを駆動することにより前記リンクハウジングを移動させるダイハイトモータとが設けられたダイカストマシンにおいて、
前記リンクハウジングと前記ナットギヤとの間にシムカラーが介装されていることを特徴とするダイカストマシンのリンクハウジング構造。
【請求項２】  前記リンクハウジングと前記ナットギヤの軸線方向における両側の相反する面部それぞれとの間に前記シムカラーが介装されていることを特徴とする請求項１記載のダイカストマシンのリンクハウジング構造。
【請求項３】  前記タイバーには前記リンクハウジング側にオネジが形成され、該オネジには内側にメネジが形成された前記ナットギヤが螺合されていることを特徴とする請求項１記載のダイカストマシンのリンクハウジング構造。
【請求項４】  前記ナットギヤはアイドルギヤに連結されるとともに、該アイドルギヤおよびリングギヤを介して前記ダイハイトモータの駆動ギヤに連結されていることを特徴とする請求項１記載のダイカストマシンのリンクハウジング構造。
【請求項５】  一側に固定型が取り付けられるとともに水平方向に延びるタイバーが取り付けられた固定ダイプレートと、
前記タイバーに移動可能に支持されるとともに前記固定型に対向する側に可動型が取り付けられた移動ダイプレートと、
該移動ダイプレートの前記固定ダイプレートに対し反対側に設けられ、前記移動ダイプレートにトグル機構を介して連結されるとともに該トグル機構を駆動するシリンダが設けられたリンクハウジングとを有し、
該リンクハウジングには、タイバーに螺合されるナットギヤと、該ナットギヤを駆動することにより前記リンクハウジングを移動させるダイハイトモータとが設けられたダイカストマシンのナットギヤ摩耗防止方法において、
前記リンクハウジングと前記ナットギヤとの間にシムカラーを介装することを特徴とするダイカストマシンのナットギヤ摩耗防止方法。
【手続補正３】
【補正対象書類名】明細書
【補正対象項目名】０００５
【補正方法】変更
【補正の内容】
【０００５】
したがって、本発明は、ナットギヤの摩耗を防止することができるダイカストマシンのリンクハウジング構造およびナットギヤの摩耗防止方法の提供を目的とする。
【手続補正４】
【補正対象書類名】明細書
【補正対象項目名】０００６
【補正方法】変更
【補正の内容】
【０００６】
【課題を解決するための手段】
上記目的を達成するために、本発明のダイカストマシンのリンクハウジング構造は、一側に固定型（例えば実施形態における固定型１２）が取り付けられるとともに水平方向に延びるタイバー（例えば実施形態におけるタイバー１３）が取り付けられた固定ダイプレート（例えば実施形態における固定ダイプレート１４）と、前記タイバーに移動可能に支持されるとともに前記固定型に対向する側に可動型（例えば実施形態における可動型１５）が取り付けられた移動ダイプレート（例えば実施形態における移動ダイプレート１６）と、該移動ダイプレートの前記固定ダイプレートに対し反対側に設けられ、前記移動ダイプレートにトグル機構（例えば実施形態におけるトグル機構１８）を介して連結されるとともに該トグル機構を駆動するシリンダ（例えば実施形態におけるシリンダ１９）が設けられたリンクハウジング（例えば実施形態におけるリンクハウジング１７）とを有し、該リンクハウジングには、タイバーに螺合されるナットギヤ（例えば実施形態におけるナットギヤ２３）と、該ナットギヤを駆動することにより前記リンクハウジングを移動させるダイハイトモータ（例えば実施形態におけるダイハイトモータ２９）とが設けられたものであって、前記リンクハウジングと前記ナットギヤとの間にシムカラー（例えば実施形態におけるシムカラー３４，３５）が介装されていることを特徴としている。
また、本発明のダイカストマシンのナットギヤ摩耗防止方法は、一側に固定型が取り付けられるとともに水平方向に延びるタイバーが取り付けられた固定ダイプレートと、前記タイバーに移動可能に支持されるとともに前記固定型に対向する側に可動型が取り付けられた移動ダイプレートと、該移動ダイプレートの前記固定ダイプレートに対し反対側に設けられ、前記移動ダイプレートにトグル機構を介して連結されるとともに該トグル機構を駆動するシリンダが設けられたリンクハウジングとを有し、該リンクハウジングには、タイバーに螺合されるナットギヤと、該ナットギヤを駆動することにより前記リンクハウジングを移動させるダイハイトモータとが設けられたものであって、前記リンクハウジングと前記ナットギヤとの間にシムカラーを介装することを特徴としている。
【手続補正５】
【補正対象書類名】明細書
【補正対象項目名】０００９
【補正方法】変更
【補正の内容】
【０００９】
このようにリンクハウジングとナットギヤの軸線方向における両側の相反する面部それぞれとの間にシムカラーが介装されていれば、振動や回転によりナットギヤがリンクハウジングに対し擦れるように動いても、ナットギヤの両側の面部と各シムカラーとが擦れるとともに各シムカラーとリンクハウジングとが擦れ、シムカラーが先に摩耗することで、リンクハウジングおよびナットギヤの両側の面部の摩耗を防止する。そして、シムカラーが摩耗した場合には、安価なこのシムカラーを交換することで対応でき、工事日数が小でしかもコストを低く抑えることができる。
また、この場合、前記タイバーには前記リンクハウジング側にオネジ（例えば実施形態におけるオネジ２１）が形成され、該オネジには内側にメネジ（例えば実施形態におけるメネジ２２）が形成された前記ナットギヤが螺合されていることを特徴とする構成にしてもよい。
さらに、この場合、前記ナットギヤはアイドルギヤ（例えば実施形態におけるアイドルギヤ２７）に連結されるとともに、該アイドルギヤおよびリングギヤ（例えば実施形態におけるリングギヤ２８）を介して前記ダイハイトモータの駆動ギヤ（例えば実施形態における駆動ギヤ３０）に連結されていることを特徴とする構成にしてもよい。
【手続補正６】
【補正対象書類名】明細書
【補正対象項目名】００１８
【補正方法】変更
【補正の内容】
【００１８】
【発明の効果】
以上詳述したように、本発明のダイカストマシンのリンクハウジング構造およびナットギヤ摩耗防止方法によれば、リンクハウジングとナットギヤとの間にシムカラーが介装されているため、振動や回転によりナットギヤがリンクハウジングに対し擦れるように動いても、ナットギヤとシムカラーとが擦れるとともにシムカラーとリンクハウジングとが擦れ、シムカラーが先に摩耗することで、リンクハウジングおよびナットギヤの摩耗を防止する。そして、シムカラーが摩耗した場合には、安価なこのシムカラーを交換することで対応でき、工事日数が小でしかもコストを低く抑えることができる。